(57)【要約】      （修正有）【課題】蒸着システムで使用するための少なくとも１つのコイル、少なくとも１つのコイルセット、少なくとも１つのコイル関連装置、またはそれらの組合せにおいて、粗さ要件を維持しかつ再生機能を維持しながら、より均質でより清浄でより強固なコイルまたはコイルセットを提供する。【解決手段】少なくとも１つのコイル、少なくとも１つのコイルセット、少なくとも１つのコイル関連装置、またはそれらの組合せの表面に、ビードブラスティングのような粗面化技術を使用することなし、パターン成形工具を使用して、表面の少なくとも一部分に特定のパターンを形成する。前記特定のパターンは一定の深さを有し、深さは少なくとも０．３５０ｍｍであり、ダイヤモンドパターン、クロスハッチパターン、またはそれらの組合せを含む。【選択図】図１
2014111841.tif 000002
【特許請求の範囲】
【請求項１】
蒸着システムで使用するためのコイル、コイルセットまたはコイル関連装置の製造方法であって、
蒸着システムで使用するための少なくとも１つのコイル、少なくとも１つのコイルセット、少なくとも１つのコイル関連装置、またはそれらの組合せを用意するステップであって、前記少なくとも１つのコイル、少なくとも１つのコイルセット、少なくとも１つのコイル関連装置、またはそれらの組合せが表面を有する、ステップと、
機械的なパターン成形工具を用意するステップと、
前記表面の少なくとも一部分に特定のパターンを形成するために、ビードブラスティングのような粗面化技術を使用することなし、前記パターン成形工具を使用するステップであって、前記パターンが一定の深さを有し、前記パターンの前記深さが少なくとも０．３５０ｍｍであり、前記特定のパターンがダイヤモンドパターン、クロスハッチパターン、またはそれらの組合せを含む、ステップと
を含む方法。
【請求項２】
請求項１の方法によって作られるコイル、コイルセットまたはコイル関連装置。
【請求項３】
ビードブラスティングのような粗面化技術を使用することなしに形成され、表面を有し、前記表面の少なくとも一部分が一定の深さを有する刻みパターンを有し、前記刻みパターンは、平均の深さが少なくとも０．３５０ｍｍである、蒸着処理で使用するためのコイル、コイルセット、少なくとも１つのコイル関連装置、またはそれらの組合せ。
【請求項４】
ビードブラスティングのような粗面化技術を使用することなしに形成され、表面を有し、前記表面の少なくとも一部分が一定の深さを有する刻みパターンを有し、前記刻みパターンは、平均の深さが少なくとも０．３５０ｍｍである、蒸着処理で使用するためのターゲット、ターゲット関連装置、またはそれらの組合せ。
【請求項５】
蒸着システムで使用するためのコイル、コイルセットまたはコイル関連装置の製造方法であって、
蒸着システムで使用するための少なくとも１つのコイル、少なくとも１つのコイルセット、少なくとも１つのコイル関連装置、またはそれらの組合せを用意するステップであって、前記少なくとも１つのコイル、少なくとも１つのコイルセット、少なくとも１つのコイル関連装置、またはそれらの組合せが表面を有する、ステップと、
機械的なパターン成形工具を用意するステップと、
ビードブラスティングのような粗面化技術を使用することなしに、前記表面の少なくとも一部分に特定のパターンを形成するためにパターン成形工具を使用するステップであって、前記パターンが一定の深さを有し、前記パターンの前記深さが少なくとも０．３５０ｍｍであり、前記特定のパターンが刻みパターンを含む、ステップと
を含む方法。
【発明の詳細な説明】
【技術分野】
【０００１】
本出願は、その全体が本明細書に組み込まれる、２００８年１月３１日に出願された係属中の米国仮特許出願第６１／０２５，１４４号の優先権を主張するものである。
本主題の分野は、複数の利点の中でもとりわけ、構成要素の性能を向上させるためにおよび／または構成要素の寿命を延ばすために、パターンが改良されたおよび／またはテクスチャが改良されたコイルならびに関連するデバイスおよび装置を有する、スパッタリングターゲットおよび蒸着構成要素である。
【背景技術】
【０００２】
基板面の全域に材料のフィルムを形成するのに蒸着法が使用される。蒸着法は、例えば、半導体製造工程において、集積回路構造体および集積回路デバイスを製造するときに最後に使用される層を形成するのに使用され得る。考えられる蒸着法の例には、化学気相蒸着（ｃｈｅｍｉｃａｌ  ｖａｐｏｒ  ｄｅｐｏｓｉｔｉｏｎ（ＣＶＤ））、原子層蒸着（ａｔｏｍｉｃ  ｌａｙｅｒ  ｄｅｐｏｓｉｔｉｏｎ（ＡＬＤ））、金属有機化学気相蒸着（ｍｅｔａｌｏｒｇａｎｉｃ  ｃｈｅｍｉｃａｌ  ｖａｐｏｒ  ｄｅｐｏｓｉｔｉｏｎ（ＭＯＣＶＤ））、物理気相蒸着（ｐｈｙｓｉｃａｌ  ｖａｐｏｒ  ｄｅｐｏｓｉｔｉｏｎ（ＰＶＤ））がある。ＰＶＤ手法にはスパッタリング処理が含まれる。
【０００３】
チャンバシステムの構成要素は、ターゲットフランジ、ターゲット側壁、シールド、カバー・リング、コイル、カップ、ピンおよび／またはクランプを有することができる。これらの構成要素は、粒子トラップとして機能する能力を向上させるためにさらには粒子の生成に関連する問題を軽減するために種々の形で改良され得る。参照によりそれらの全体が本明細書に組み込まれる、例えば、すべてがＨｏｎｅｙｗｅｌｌ  Ｉｎｔｅｒｎａｔｉｏｎａｌ  Ｉｎｃ．により共通して所有される、米国特許出願第１０／６１４８０６号、第１０／８３７５５５号および第１０／９８５３１６号、ならびに、米国仮特許出願第６０／４７７８１０号、第６０／４９８０３６号および第６０／３９６５４３号が、蒸着チャンバ内の１つまたは複数の表面上にベント・スクロール・パターン（ｂｅｎｔ  ｓｃｒｏｌｌ  ｐａｔｔｅｒｎ）を形成することにより粒子を捕捉するためのトラップを作ることを開示している。
【０００４】
Ｍｉｎｔｚに付与されたＵＳ５３９１２７５が、物理気相蒸着処理で使用する前にシールドおよび／またはクランプ・リングを調製するための方法を教示しており、ここでは、シールドおよび／またはクランプ・リングはまずビードブラストされ、次いで、疎な粒子（ｌｏｏｓｅ  ｐａｒｔｉｃｌｅ）を除去するために超音波洗浄チャンバ内で処理される。この構成要素は次にスパッタ・エッチングされるかまたはプラズマを用いて処理される。Ｍｉｎｔｚは、カラム２の３１行目から３７行目で、「ビードブラスティングステップによりシールドおよび／またはクランプ・リングの表面が不規則になる。これにより、超顕微鏡的スケールにおいて蒸着材料の界面亀裂伝搬が強まり、蒸着材料のフレーキングが阻害される。表面が不規則になることにより、脆弱な面（ｐｌａｎｅ  ｏｆ  ｗｅａｋｎｅｓｓ）に沿った割れの伝搬方向が変化させられたりより強固な領域を通過したりするようになる。」と述べている。
【０００５】
参照文献である、Ｋｏｙａｍａに付与されたＵＳ５８３７０５７が、チャンバまたは装置内の粒子を制御するのに、１つまたは複数の、粒子が分離するのを防止するためのプレート（ｓｅｐａｒａｔｅ  ｐａｒｔｉｃｌｅ  ｐｒｅｖｅｎｔｉｏｎ  ｐｌａｔｅ）を使用するフィルム形成装置を開示している。Ｋｏｙａｍａはその装置の内側にプレートを挿入することによりこの粒子問題を解決している。Ｋｏｙａｍａはマクロスケールの捕捉領域を形成するために既存のチャンバまたは装置の構成要素の表面を処理してはいない。Ｋｏｙａｍａは、「勾配」を有する、すなわち傾斜している、突出部を作ることを開示している。
【０００６】
企図される１つのチャンバ要素は、Ｈｏｎｅｙｗｅｌｌ  Ｅｌｅｃｔｒｏｎｉｃ  Ｍａｔｅｒｉａｌｓが製造しているようなコイルまたはコイルセットであり、これらは、基板上および／または適当な表面上により一様なフィルムおよび／または層が形成されるようにスパッタ原子および／またはスパッタ分子の向きを変えるためにスパッタリングチャンバおよび／またはイオン化プラズマ装置（ｉｏｎｉｚｅｄ  ｐｌａｓｍａ  ａｐｐａｒａｔｕｓ）の内側に配置される消耗製品である。コイルは、バックグラウンド用途（ｂａｃｋｇｒｏｕｎｄ  ｐｕｒｐｏｓｅ）のために、ターゲットからスパッタリングされた金属原子の少なくとも一部をイオン化させるのに十分な密度の二次プラズマを生成するための誘導結合装置としてシステムおよび／または蒸着装置内に存在する。イオン化金属プラズマシステムでは、１次プラズマは、生成され、一般にマグネトロンによりターゲット付近に閉じ込められ、その後、Ｔｉ原子などの原子をターゲット表面から放出させる。コイルシステムによって生成される二次プラズマによりＴｉイオン、ＣｕイオンおよびＴａイオンが作り出される（スパッタされる材料に応じる）。次いでこれらの金属イオンは、基板（ウェーハ）面のところに形成されたシース内の磁界によってウェーハに引き付けられる。本明細書で使用する「シース」という用語は、プラズマと任意の固体表面との間に形成される境界層を意味する。この磁界は、ウェーハおよび／または基板にバイアス電圧を印加することによって制御され得る。
【０００７】
従来のコイルは、コイルの電位が、処理チャンバの壁に取り付けられておりしたがって接地電位である処理用チャンバシールドに短絡されるのを防止するために、セラミック電気絶縁体に懸架される。金属プラズマがセラミック絶縁体を覆ってしまうと短絡が起こる。セラミック上に金属が蒸着されるのを防止することができる、プラズマからセラミックのへの光学的に密な経路を形成するために、カップ形状に作られたシールドがセラミックの周りに配置される。通常、セラミックを取り囲むカップ形の小型のシールドがコイルに取り付けられ、カップ形の大型のシールドがカップ形の小型のシールドに取り付けられ、それらのカップは、互いからは電気的に分離されるが、セラミックを遮蔽するように共同で機能する。熱応力下では、コイルが膨張して、コイルの後部とカップ形シールドの外側の端部との間の公称の間隔が減少し、それにより短絡が起こって基板上での蒸着処理が阻害される。
【０００８】
上述したこれらの問題および潜在的な欠陥に加えて、物理気相蒸着（ＰＶＤ）の際に粒子が発生することも、マイクロエレクトロニクスデバイスの製造時に機能性チップの生産性を弱める最も不利益な要因の１つである。ＰＶＤシステムでは、粒子の大部分は、周りのチャンバ要素上に蒸着物が積み重ねられて応力により亀裂が生じるときに、イオン化金属プラズマ（ＩＭＰ）スパッタリングシステムおよび自己イオン化プラズマ（ｓｅｌｆ  ｉｏｎｉｚｅｄ  ｐｌａｓｍａ）スパッタリングシステムで使用されるコイル上に特に発生する。蒸着は主にこれらのコイルの頂部上で起こる。
【０００９】
従来のコイルおよびコイルセットは、使用される金属棒または金属合金棒のサイズのために製造が困難である場合がある。したがって、短絡を引き起こしたり、蒸着処理を中断させたり、不適切な金属蒸着を生じさせたりすることなく、蒸着装置、スパッタリングチャンバシステムおよび／またはイオン化プラズマ蒸着システムと共に使用されるような、より良好な形状およびサイズのコイルを開発することが望まれる。さらに、それらの新規のコイルおよびコイルセットが、使用されるターゲットと同様の寿命を有するようにすることが望まれる。というのは、コイル、コイルセットとターゲットと寿命の差が小さくなると、コイルおよびターゲットの両方を取り替える前にコイルを取り替えるために装置またはシステムを停止しなければならない回数を最小にまで減らすことができる。
【００１０】
さらに、コイルまたはコイルセットを含めた構成要素に、より均質でより清浄でより強固なテクスチャを付加して、再生機能を維持しながら、粗さ要件に適合するような構成要素を作ることが望まれる。ＵＳ６８１２４７１が改良されたコイルおよびコイルセットを開示しており、ここではテクスチャを付着させるのに電磁エネルギーのビームが使用される。ＷＯ２００７／０３０８２４  Ａ２では、テクスチャを付着させるのにマンドレルを使用したフローフォーミングが用いられている。しかし、これらの手法のいずれも、上で言及した目標を達成していない。また、企図される改良型の構成要素およびコイルでは、他の表面テクスチャリング方法に付随するものと同じフレーキング問題を有するとは予期されていない。
【００１１】
従来のシステムおよび最新の技術に基づいて、粗さ要件を維持しかつ再生機能を維持しながら、より均質でより清浄でより強固なコイルまたはコイルセットを使用することにより表面上および／または基板上の被覆物、フィルムまたは蒸着物の均質性を最大にするような蒸着装置およびスパッタリングチャンバシステムを開発して使用することが望まれる。
【発明の概要】
【課題を解決するための手段】
【００１２】
少なくとも１つのコイル、少なくとも１つのコイルセット、少なくとも１つのコイル関連装置、少なくとも１つのターゲット関連装置、またはそれらの組合せを有し、少なくとも１つのコイル、少なくとも１つのコイルセット、少なくとも１つのコイル関連装置、少なくとも１つのターゲット関連装置、またはそれらの組合せが表面を有し、その表面の少なくとも一部分が規則的な深さパターンを有する、蒸着装置を本明細書で説明する。
【００１３】
さらに、本明細書では、コイル、コイルセット、少なくとも１つのターゲット関連装置またはコイル関連装置の製造方法を開示する。この製造方法は、少なくとも１つのコイル、少なくとも１つのコイルセット、少なくとも１つのコイル関連装置、少なくとも１つのターゲット関連装置、またはそれらの組合せを用意するステップであって、少なくとも１つのコイル、少なくとも１つのコイルセット、少なくとも１つのコイル関連装置、少なくとも１つのターゲット関連装置、またはそれらの組合せが表面を有する、ステップと、パターン成形工具を用意するステップと、表面の少なくとも一部分に規則的な深さパターンを形成するためにパターン成形工具を使用するステップとを含む。
【図面の簡単な説明】
【００１４】
【図１】企図されるパターンの図である。
【図２】パターンを示す実際の表面の図である。
【図３】図３Ａは企図されるローレットの側面斜視図である。図３Ｂは企図されるローレットの底面斜視図である。
【発明を実施するための形態】
【００１５】
短絡を引き起こしたり、蒸着処理を中断させたり、不適切な金属蒸着を生じさせたりすることなく、蒸着装置、スパッタリングチャンバシステムおよび／またはイオン化プラズマ蒸着システムと共に使用されるような、最終的なコスト効率に優れたコイルおよびコイルセットである、より良好な形状およびサイズのコイルを合わせて開発した。粗さ要件を維持し、かつ再生機能を維持しながら、より均質でより清浄でより強固なコイルまたはコイルセットを使用することにより表面上および／または基板上の被覆物、フィルムまたは蒸着物の均質性を最大にするような、企図される蒸着装置およびスパッタリングチャンバシステムを開発して使用している。
【００１６】
コイル、コイルセットとターゲットとの寿命の差が小さくすると、コイルおよびターゲットの両方を取り替える前にコイルを取り替えるために装置またはシステムを停止しなければならない回数を減らすことができることから、これらの新規のコイルおよびコイルセットは使用されるターゲットと同様の寿命を有する。
【００１７】
具体的には、企図される蒸着装置は、本明細書で説明するすべての設計目標および性能目標を達成するために特別に設計および企図されたテクスチャの幾何形状（ｔｅｘｔｕｒｅ  ｇｅｏｍｅｔｒｙ）を有する、少なくとも１つのコイル、少なくとも１つのコイルセット、少なくとも１つの関連要素、またはそれらの組合せを有する。この特別に設計および意図されたテクスチャの幾何形状により、上述したような粗面化を伴う技術に関する問題は修正される。企図される蒸着装置は、少なくとも１つのコイル、少なくとも１つのコイルセット、少なくとも１つのコイル関連装置、少なくとも１つのターゲット関連装置、またはそれらの組合せを有し、少なくとも１つのコイル、少なくとも１つのコイルセット、少なくとも１つのコイル関連装置、少なくとも１つのターゲット関連装置、またはそれらの組合せは表面を有し、その表面の少なくとも一部分は規則的な深さパターンを有する。
【００１８】
また、本明細書では、コイル、コイルセット、あるいは、コイル関連装置および／またはターゲット関連装置の製造方法も開示される。この製造方法は、少なくとも１つのコイル、少なくとも１つのコイルセット、少なくとも１つのコイル関連装置、少なくとも１つのターゲット関連装置、またはそれらの組合せを用意するステップであって、少なくとも１つのコイル、少なくとも１つのコイルセット、少なくとも１つのコイル関連装置、少なくとも１つのターゲット関連装置、またはそれらの組合せが表面を有する、ステップと、パターン成形工具を用意するステップと、表面の少なくとも一部分に規則的な深さパターンを形成するためにパターン成形工具を使用するステップとを含む。本明細書では、コイル関連装置およびターゲット関連装置には、ターゲットフランジ、ターゲット側壁、シールド、カバー・リング、カップ、ピンおよび／またはクランプが含まれる。
【００１９】
企図される実施形態では、ビードブラスティングなどの粗面化技術を用いることなくかつその後に不規則なエッチングステップを行うことなく、調整された特定のテクスチャの幾何形状または構造表面が構成要素に付着される。企図されるテクスチャの幾何形状には、企図されるパターン１００を表す図１およびパターン２１０を示す実際の表面２００の図２に示されるパターンなどのダイヤモンドパターンまたはクロスハッチパターンを含めた特定かつ目標のパターンが含まれる。
【００２０】
規則的な深さパターンを有する、本明細書で開示する独自の特定かつ目標のパターンを形成するために、機械的工具を含めた、任意の適当な工具またはサブトラクティブ方法が使用されてもよい。適当な工具は、特許請求の範囲に記載される企図される所望の粗さを達成する任意の機械的なパターン成形工具を含む。図３は、側面３１０および底部３２０の両方向から見た、企図されるパターン成形工具、この場合はローレット、を示す。切刃３５０と共に、ハンドル３３０および切削機構３４０が示されている。ビードブラスティングまたは不規則なエッチングの工程では本明細書で開示する特定のパターンは形成されないことを理解されたい。
【００２１】
企図されるパターン成形工具およびパターン成形処理により、深さの平均が少なくとも０．３５０ｍｍである平均的な深さパターン（ａｖｅｒａｇｅ  ｄｅｐｔｈ  ｐａｔｔｅｒｎ）を有する構成要素のテクスチャの幾何形状が作られる。一部の実施形態では、企図される構成要素のテクスチャの幾何形状は深さの平均が少なくとも０．３８０ｍｍである。別のいくつかの実施形態では、企図される構成要素のテクスチャの幾何形状は、深さの平均が少なくとも０．４００ｍｍである平均的な深さパターンを有する。別のいくつかの実施形態では、企図される構成要素のテクスチャの幾何形状は、深さの平均が少なくとも０．５００ｍｍである平均的な深さパターンを有する。一部の実施形態では、企図される構成要素のテクスチャの幾何形状は、深さの平均が１．１４３ｍｍ未満である平均的な深さパターンを有する。本明細書で使用される、テクスチャの幾何形状の深さに関連する「平均が少なくとも」という表現は、テクスチャの幾何形状の長さ方向全体における平均の深さが少なくとも明記した深さであることを意味する。一部の領域の深さが０．４５０ｍｍであり、同じ幾何形状内の一部の領域の深さが０．５２０ｍｍであってよいが、その平均は本明細書に明記した範囲内にある。
【００２２】
ローレットおよびローレット加工によってまたは同様のデバイス／手法によって形成されるこれらの規則的な深さパターン、テクスチャの幾何形状および／または構造表面は綿密に調整されることから、より整った均一性のある表面テクスチャが得られる。これらの構成要素およびコイルは、使用中にアーク放電またはフレーキングを引き起こす可能性がある鋸刃状の縁部が作られてしまうような代替の表面テクスチャを使用したコイルの再生とは異なる形で、使用後に再生され得る。
【００２３】
本明細書で企図される構成要素は、概して、確実に蒸着システムの構成要素となるように形成され得る任意の材料を含んでいてよい。適当な構成要素を作ると考えられる材料は、金属、金属合金、ハードマスク材料および他の任意適当な材料である。
【００２４】
本明細書で使用する「金属」という用語は、元素周期表のｄ−ブロックおよびｆ−ブロックにある元素ならびにシリコンおよびゲルマニウムなどの金属のような性質を有する元素を意味する。本明細書で使用する「ｄ−ブロック」という表現は、元素の原子核の周りの３ｄ、４ｄ、５ｄおよび６ｄの軌道を埋める電子を有する元素を意味する。本明細書で使用する「ｆ−ブロック」という表現は、ランタン系およびアクチニド系を含む、元素の原子核の周りの４ｆおよび５ｆの軌道を埋める電子を有する元素を意味する。いくつかの考えられる金属には、タンタル、コバルト、銅、インジウム、ガリウム、セレニウム、ニッケル、鉄、亜鉛、アルミニウムおよびアルミニウムベースの材料、スズ、金、銀、またはそれらの組合せが含まれる。別の考えられる金属には、銅、アルミニウム、コバルト、マグネシウム、マンガン、鉄、またはそれらの組合せが含まれる。
【００２５】
「金属」という用語には合金も含まれる。本明細書で企図される合金には、金、アンチモン、アルミニウム、銅、ニッケル、インジウム、コバルト、バナジウム、鉄、チタン、ジルコニウム、銀、スズ、亜鉛、レニウム、およびそれらの組合せが含まれる。具体的な合金には、金−アンチモン、金−砒素、金−ホウ素、金−銅、金−ゲルマニウム、金−ニッケル、金−ニッケル−インジウム、金−パラジウム、金−リン、金−シリコン、金−銀−白金、金−タンタル、金−スズ、金−亜鉛、パラジウム−リチウム、パラジウム−マンガン、銀−銅、銀−ガリウム、銀−金、アルミニウム−銅、アルミニウム−シリコン、アルミニウム−シリコン−銅、アルミニウム−チタン、クロム−銅、および／またはそれらの組合せが含まれる。一部の実施形態では、考えられる材料には、参照によりその全体が本明細書に組み込まれる、Ｈｏｎｅｙｗｅｌｌ  Ｉｎｔｅｒｎａｔｉｏｎａｌ  Ｉｎｃ．により共通して所有される米国特許第６３３１２３３号に開示されている材料が含まれる。
【００２６】
本明細書で企図される金属および合金は少量の別の金属含んでいてもよい。これらの金属は特定の構成要素の形成時に元々存在するものであってよく、またはターゲットの製造時に加えられるものであってもよい。これらの金属は構成要素全体の性質を変化させないまたは構成要素の性質を改善することを意図されたものであると考えられる。
【００２７】
以上のように、蒸着システムの構成要素および関連装置の製造方法の具体的な実施形態および応用例を開示してきた。しかし、既に説明した修正形態の他にも、本明細書における本発明の概念から逸脱することなく多くの修正形態が可能であることは当業者には明白であろう。したがって、本発明の主題は、本明細書における開示の精神以外において制限されない。さらに、本開示を解釈する際には、すべての用語は文脈に一致するできるだけ広い形で解釈すべきである。特に、「含む（有する）（ｃｏｍｐｒｉｓｅ）」および「含んでいる（有している）（ｃｏｍｐｒｉｓｉｎｇ）」という用語は、非排他的な形で要素、構成要素またはステップに言及しているものとして、あるいは、言及した要素、構成要素またはステップが存在していてよいもしくは使用されてよいこと、または、特に言及していない他の要素、構成要素またはステップと組み合わされてよいことを示しているものとして解釈すべきである。
【図１】
2014111841.tif 000003
【図３】
2014111841.tif 000004
【図２】
2014111841.tif 000005
【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
蒸着システムで使用するためのコイル、コイルセットまたはコイル関連装置の製造方法であって、
蒸着システムで使用するための少なくとも１つのコイル、少なくとも１つのコイルセット、少なくとも１つのコイル関連装置、またはそれらの組合せを用意するステップであって、前記少なくとも１つのコイル、少なくとも１つのコイルセット、少なくとも１つのコイル関連装置、またはそれらの組合せが表面を有する、ステップと、
機械的なパターン成形工具を用意するステップと、
前記表面の少なくとも一部分に特定のパターンを形成するために、ビードブラスティングのような粗面化技術を使用することなし、前記パターン成形工具を使用するステップであって、前記パターンが一定の深さを有し、前記パターンの前記深さが少なくとも０．３５０ｍｍであり、前記特定のパターンがエッチングステップを行うことなく、前記特定のパターンがダイヤモンドパターン、クロスハッチパターン、またはそれらの組合せを含む、ステップと
を含む方法。
【請求項２】
請求項１の方法によって作られるコイル、コイルセットまたはコイル関連装置。
【請求項３】
ビードブラスティングのような粗面化技術を使用することなしに形成され、表面を有し、前記表面の少なくとも一部分が一定の深さを有する刻みパターンを有し、前記刻みパターンは、平均の深さが少なくとも０．３５０ｍｍであり、前記特定のパターンはエッチングステップが行なわれない、蒸着処理で使用するためのコイル、コイルセット、少なくとも１つのコイル関連装置、またはそれらの組合せ。
【請求項４】
ビードブラスティングのような粗面化技術を使用することなしに形成され、表面を有し、前記表面の少なくとも一部分が一定の深さを有する刻みパターンを有し、前記刻みパターンは、平均の深さが少なくとも０．３５０ｍｍであり、前記特定のパターンはエッチングステップが行なわれない、蒸着処理で使用するためのターゲット、ターゲット関連装置、またはそれらの組合せ。
【請求項５】
蒸着システムで使用するためのコイル、コイルセットまたはコイル関連装置の製造方法であって、
蒸着システムで使用するための少なくとも１つのコイル、少なくとも１つのコイルセット、少なくとも１つのコイル関連装置、またはそれらの組合せを用意するステップであって、前記少なくとも１つのコイル、少なくとも１つのコイルセット、少なくとも１つのコイル関連装置、またはそれらの組合せが表面を有する、ステップと、
機械的なパターン成形工具を用意するステップと、
ビードブラスティングのような粗面化技術を使用することなしに、前記表面の少なくとも一部分に特定のパターンを形成するためにパターン成形工具を使用するステップであって、前記パターンが一定の深さを有し、前記パターンの前記深さが少なくとも０．３５０ｍｍであり、前記特定のパターンはエッチングステップが行なわれず、前記特定のパターンが刻みパターンを含む、ステップと
を含む方法。
【外国語明細書】
2014111841000001.pdf